(57)【要約】【課題】  簡単な構成にて、人体の局部を洗浄する洗浄水に金属イオンを溶出する事を目的とするものである。【解決手段】  電解水路３１の途中に金属イオン発生用の電極３４，３５を配設した発生装置１１を、肛門等へ向けて洗浄水を噴出する洗浄装置を備えた衛生洗浄便座１の給水接続口２２に装着して成る。【選択図】        図１
2005105741.tif 000002
【特許請求の範囲】
【請求項１】
電解水路の途中に金属イオン発生用の電極を配設した発生装置を、肛門等へ向けて洗浄水を噴出する洗浄装置を備えた衛生洗浄便座の給水接続口に装着して成る、衛生洗浄便座の金属イオン発生装置。
【請求項２】
上記電解水路の途中に水流センサを設けると共に、上記電極への通電を制御する制御回路を設け、この制御回路により、上記水流センサが電解水路への流水を検出すると上記電極に通電して上記電解水路内に金属イオンを溶出する様に構成して成る、上記請求項１に記載の衛生洗浄便座の金属イオン発生装置。
【請求項３】
上記制御回路を、上記水流センサにて検出する水量に応じて上記電極への通電量を制御する様に構成して成る、上記請求項２に記載の衛生洗浄便座の金属イオン発生装置。
【請求項４】
上記電極への積算通電時間を記憶する記憶素子を設けると共に、上記制御回路を、積算通電時間が予め設定した所定時間に達すると報知する様に構成して成る、上記請求項２〜３に記載の衛生洗浄便座の金属イオン発生装置。
【請求項５】
上記電極を銀若しくは銀合金にて構成して成る、上記請求項１〜４に記載の衛生洗浄便座の金属イオン発生装置。
【請求項６】
上記発生装置の適所に予備コンセントを配設して成る、上記請求項１〜５に記載の衛生洗浄便座の金属イオン発生装置。
【発明の詳細な説明】
【技術分野】
【０００１】
本発明は、衛生洗浄便座に供給する洗浄水中に金属イオンを溶出させる衛生洗浄便座の金属イオン発生装置に関する。
【背景技術】
【０００２】
人体の肛門等に洗浄水を噴射する洗浄ノズルを備えた衛生洗浄装置では、例えば特許文献１に示される様に、洗浄ノズルに洗浄水を供給する給水配管の途中に、銀イオン等の金属イオンを発生する金属イオン電解装置を装着したものがある。
【特許文献１】特開２００１−２７９７８０号公報
【発明の開示】
【発明が解決しようとする課題】
【０００３】
上記特許文献１に記載の衛生洗浄便座では、予め銀イオン電解装置を便座本体内に内蔵している為、銀イオン発生装置を衛生洗浄装置に組み合わせたい場合には、便座本体を買い換えて交換する必要がある。
【０００４】
そこで、本発明は、既設の衛生洗浄便座をそのまま利用しながら、比較的簡単に肛門等の局部を洗浄する洗浄水に金属イオンを溶出させる事を目的とする。
【課題を解決するための手段】
【０００５】
本発明の請求項１の構成は、電解水路の途中に金属イオン発生用の電極を配設した発生装置を、肛門等へ向けて洗浄水を噴出する洗浄装置を備えた衛生洗浄便座の給水接続口に装着して成るものである。
【０００６】
本発明の請求項２の構成は、請求項１の構成において、電解水路の途中に水流センサを設けると共に、電極への通電を制御する制御回路を設け、この制御回路により、水流センサが電解水路への流水を検出すると電極に通電して電解水路内に金属イオンを溶出する様に構成して成るものである。
【０００７】
本発明の請求項３の構成は、請求項２の構成において、制御回路を、水流センサにて検出する水量に応じて電極への通電量を制御する様に構成して成るものである。
【０００８】
本発明の請求項４の構成は、請求項２〜３の構成において、電極への積算通電時間を記憶する記憶素子を設けると共に、制御回路を、積算通電時間が予め設定した所定時間に達すると報知する様に構成して成るものである。
【０００９】
本発明の請求項５の構成は、請求項１〜４の構成において、電極を銀若しくは銀合金にて構成して成るものである。
【００１０】
本発明の請求項６の構成は、請求項１〜５の構成において、発生装置の適所に予備コンセントを配設して成るものである。
【発明の効果】
【００１１】
本発明の請求項１に記載の構成により、金属イオンの発生装置を衛生洗浄便座の給水接続口に装着する様に構成したことで、簡単な構成にて既設の衛生洗浄便座の洗浄水に金属イオンを溶出する事が出来るものである。
【００１２】
本発明の請求項２に記載の構成により、水流センサによって衛生洗浄便座の洗浄操作を検出し、洗浄操作が行われると電極に通電して洗浄水に金属イオンを溶出する様に構成したことで、衛生洗浄便座と金属イオン発生装置とを何ら電気的に接続することなく、簡単な構成にて、洗浄操作に連動して金属イオンを発生する事が出来るものである。
【００１３】
本発明の請求項３に記載の構成により、水流センサにて検出した水量に応じて電極への通電量を制御し、金属イオンの発生量を調節することで、金属イオンの溶出濃度を、水量の変化に影響されることなく、略均一に維持する事が出来るものである。
【００１４】
本発明の請求項４に記載の構成により、電極への積算通電時間を記憶素子に記憶し、積算通電時間が所定時間に達すると報知する様に構成したことで、電極の交換時期を的確に報知し、電極の消耗による性能低下等を防止する事が出来るものである。
【００１５】
本発明の請求項５に記載の構成により、電極を銀若しくは銀合金にて構成することで、洗浄水中に銀イオンを溶出し、この溶出した銀イオンにより、給水配管通路や人体の局部、便器の内部表面等の除菌を行う事が出来るものである。
【００１６】
本発明の請求項６に記載の構成により、発生装置に予備コンセントを装着したことで、この予備コンセントから衛生洗浄便座に電源を供給すれば、発生装置の追加によりコンセントを増設する必要がなく、発生装置の設置をより簡単に行う事が出来るものである。
【発明を実施するための最良の形態】
【００１７】
本発明による実施例を先ず図１に基づき説明すると、１は洋式便器２の上に着脱自在或いは着脱可能に載置された衛生洗浄便座で、本体ケース３に便座４と便蓋５とを上下方向に開閉自在に枢支している。
【００１８】
又、上記本体ケース３内には、例えば図２にて示す様に、内部に湯沸用ヒータ６を装着した貯湯タンク７と、このタンクに水道水を給水する給水配管８と、上記貯湯タンク７内の湯水を人体の局部に向けて噴射する肛門用ノズル９及びビデ用ノズル１０とを主に収納配置している。
【００１９】
そして上記給水配管８には、金属イオンの発生装置１１、フレキシブルな配管ホース１２、分岐水栓１３を介して市水等の水道管１４に接続していると共に、ストレーナ１５、逆止弁１６、止水用電磁弁１７、減圧弁１８、流量調節弁１９を順次装着している。
【００２０】
尚、上記肛門用ノズル９及びビデ用ノズル１０は、上記流量調節弁１９に一体に形成された切換弁２０を介して貯湯タンク７内に接続していると共に、これら流量調節弁１９と切換弁２０はモータ２１により回転駆動され、どちらか一方のノズルに所定流量の洗浄水が供給される。
【００２１】
一方、上記発生装置１１は、図３にても示す様に、上記本体ケース３の側面に露出した上記給水配管８の給水接続口２２に着脱自在或いは着脱可能に接続され、図４にも示す様にケース２３の例えば背面上部の、上記給水接続口２２の接続位置よりも高い位置に予備コンセント２４を装着していると共に、上面に電源スイッチ２５や電源ランプ２６、報知用ランプ２７等を配置した操作パネル２８を配置している。
【００２２】
これらの構成により、予備コンセント２４を給水接続口２２の接続位置よりも高い位置に配設したことで、何らかの原因により給水接続口２２の接続部より漏水が発生しても、極力予備コンセント２４への水の付着を防止し、漏水による短絡事故を防止する事が出来ると共に、例えば図１に示す様に、トイレの壁面に配設されたコンセント５０に上記発生装置１１の電源プラグ５１を接続し、予備コンセント２４に衛生洗浄便座１の電源プラグ５２を接続すれば、コンセント５０等の増設を行うことなく、比較的簡単に発生装置１１の設置を行う事が出来るものである。
【００２３】
更に上記ケース２３内には、図４にて示す様に一端に上記配管ホース１２を接続する接続金具２９を備え、他端に上記給水金具２２に接続する接続金具３０を備えた電解水路３１を配設し、この電解水路には、水流センサ３２と金属イオン発生器３３を順次接続している。
【００２４】
又、上記金属イオン発生器３３は、円柱状の銀又は銀合金、銅、銀銅合金により形成した金属電極３４の周囲に対向位置して、円弧状の例えばＳＵＳ３０４系のステンレス材にて形成した対向電極３５を配設し、例えば上記金属電極３４に＋電位、対向電極３５に−電位の直流電流を印加することで、電解作用により通水路３６を通過する洗浄水中に銀イオンや銅イオン等の金属イオンを溶出する。
【００２５】
３７は制御回路で、図５にても示す様に、マイコン等で構成した制御部３８の入力ポートに水流センサ３２を接続し、上記電源スイッチ２５がオン時に水流センサ３２が通水を検出すると、上記金属電極３４と対向電極３５間に所定の直流電流を印加するもので、電源スイッチ２５がオン時には電源ランプ２６を点灯し、かつ金属電極３４と対向電極３５間への積載通電時間をカウントして不揮発性メモリ等のメモリ３９に記憶し、積載通電時間が予め設定した金属電極３４の消耗時間に達すると、報知用ランプ２７を点灯して金属電極３４の交換時期を報知する様に構成している。
【００２６】
更に、上記制御回路３７には、上記電源プラグ５１と電源回路４０との間に周知の衛生洗浄便座１に組み込まれている漏電遮断回路４１を接続していると共に、この漏電遮断回路と電源回路４０との間に上記予備コンセント２４を接続し、これらの構成により、衛生洗浄便座１内への漏電遮断回路の組み込みを削除することが出来、衛生洗浄便座のコストダウンが計れる。
【００２７】
又上記制御回路３７は、水流センサ３２の出力により通水量を検出し、この通水量に応じて上記金属電極３４と対向電極３５間に印加する通電量（印加電圧や印加電流）を調節する様に構成し、これにより洗浄水中に溶出する金属イオンの濃度を、水量に影響されることなく略均一に制御する事が出来るものである。尚、金属イオンの濃度は、図示しない濃度を設定するスイッチを設け、段階的或いは無段階に設定する様に構成しても良い。
【００２８】
而して、発生装置１１の電源スイッチ２５がオンされている時に、衛生洗浄便座１が洗浄操作されると、図２において止水用電磁弁１７が開くと同時にモータ２１に通電されて流量調節弁１９と切換弁２０が回転駆動され、流量調節弁１９にて設定された設定流量の洗浄水が肛門用ノズル９又はビデ用ノズル１０から噴出する。
【００２９】
又、上記洗浄水の噴出と同時に、発生装置１１の水流センサ３２が通水を検出し、制御部３８により金属電極３４と対向電極３５間に所定の電流を印加し、洗浄水中に銀イオン等の金属イオンを溶出する。
【００３０】
これにより、洗浄水中に溶出した金属イオンによって、衛生洗浄便座１内の貯湯タンク７、給水配管８等の細菌の繁殖を抑制すると共に、人体の局部や洗浄ノズル等の除菌を行う事が出来るものである。
【００３１】
尚、発生装置１１を既設の衛生洗浄便座１に接続する場合には、分岐水栓１３の水栓を止めて配管ホース１２を給水接続口２２から取り外した後、この給水接続口に発生装置１１の接続金具３０を接続し、配管ホース１２を接続金具２９に接続し、例えば発生装置１１の電源プラグ５１をコンセント５０に差込み、衛生洗浄便座１の電源プラグ５２を発生装置１１の予備コンセント２４に差し込めば、比較的簡単に設置する事が出来る。
【図面の簡単な説明】
【００３２】
【図１】本発明の実施例を示す斜視図である。
【図２】同じく要部の概略構成図である。
【図３】同じく側面図である。
【図４】同じく要部の正面断面図である。
【図５】同じく電気回路図である。
【符号の説明】
【００３３】
１    衛生洗浄便座
１１  発生装置
２２  給水接続口
２４  予備コンセント
３１  電解水路
３２  水流センサ
３４  金属電極
３５  対向電極
３９  メモリ（記憶素子）
４０  漏電遮断回路
【図１】
2005105741.tif 000003
【図２】
2005105741.tif 000004
【図３】
2005105741.tif 000005
【図４】
2005105741.tif 000006
【図５】
2005105741.tif 000007